(57)【要約】【課題】  多チャンネル入力方式の映像装置では、リモコンで同じチャンネルボタンに割り振られている他のメディアの放送に切り替えようとする場合、リモコンを操作し、メディアボタンを切り替えながらチャンネルボタンを操作する必要があり、操作が多く不便であった。【解決手段】  チャンネルボタン〔３〕の操作２０１によりＵＶの３チャンネルの画面２０３を表示しているとき、同じチャンネルボタン〔３〕の操作２０２を行うと、予め決められた順序に従ってチャンネルボタン〔３〕に登録された他のメディアのチャンネルを探索する。未登録の地上デジタル放送の３チャンネルのミュート画面２０５は自動的にスキップしてＢＳデジタル放送の１０３チャンネル画面２０４が表示される。リモコンのチャンネルボタンの操作のみで、未登録のものは自動的にスキップしてＵＶの３チャンネルからＢＳデジタル放送の１０３チャンネルに切り替えることができる。【選択図】図１
2006197128.tif 000002
【特許請求の範囲】
【請求項１】
各種メディアからの信号を受信し再生する多チャンネル入力方式の映像装置において、
リモコンの同一チャンネルボタンの操作内容に応じて、受信するメディアを現在受信中のメディアのチャンネルから同一チャンネルボタンに登録された他のメディアのチャンネルに切り替えるチャンネル切り替え手段を備えたことを特徴とする多チャンネル入力方式の映像装置。
【請求項２】
各種メディアからの信号を受信し再生する多チャンネル入力方式の映像装置において、
リモコンからのチャンネルボタン操作信号を受信して、所定値を超える前記チャンネルボタン操作信号が入力されたとき、受信するメディアを現在受信中のメディアのチャンネルから同一チャンネルボタンに登録された他のメディアのチャンネルに切り替えるチャンネル切り替え手段を備えたことを特徴とする多チャンネル入力方式の映像装置。
【請求項３】
各種メディアからの信号を受信し再生する多チャンネル入力方式の映像装置において、
現在受信中のメディアのチャンネルと同一チャンネルのチャンネルボタン操作信号がリモコンから入力されたとき、受信するメディアを現在受信中のメディアのチャンネルから同一チャンネルボタンに登録された他のメディアのチャンネルに切り替えるチャンネル切り替え手段を備えたことを特徴とする多チャンネル入力方式の映像装置。
【請求項４】
前記チャンネル切り替え手段は、
前記チャンネルボタン操作信号を受信したとき、同一チャンネルボタンに登録された他のメディアのチャンネルが放送されているかどうかを予め定めた順序に従って検出する検出手段と、
前記検出手段により前記他のメディアのチャンネルが放送されていることが検出されたときは当該メディアのチャンネル表示を行い、前記検出手段により前記他のメディアのチャンネルが放送されていないことが検出されたとき当該メディアのチャンネル表示をスキップするように動作する手段を備えたことを特徴とする請求項１乃至請求項３のいずれか一項に記載の多チャンネル入力方式の映像装置。
【請求項５】
ＥＰＧメモリの記憶内容により、該当チャンネルの放送を行っていないことが検出されたとき当該メディアのチャンネル表示をスキップするように動作する手段を備えたことを特徴とする請求項４に記載の多チャンネル入力方式の映像装置。
【請求項６】
ＩＰ変換／ＲＧＢプロセッサにより、該当チャンネルがミュート画面表示となっていることが検出されたとき当該メディアのチャンネル表示をスキップするように動作する手段を備えたことを特徴とする請求項４に記載の多チャンネル入力方式の映像装置。
【請求項７】
各種メディアからの信号を受信し再生する多チャンネル入力方式映像装置のチャンネル操作方法において、
リモコンの同一チャンネルボタンの操作内容に応じて、受信するメディアを現在受信中のメディアのチャンネルから同一チャンネルボタンに登録された他のメディアに切り替える多チャンネル入力方式映像装置のチャンネル切り替え方法。
【請求項８】
各種メディアからの信号を受信し再生する多チャンネル入力方式映像装置のチャンネル操作方法において、
リモコンからのチャンネルボタン操作信号を受信して、所定値を超える前記チャンネルボタン操作信号が入力されたとき、受信するメディアを現在受信中のメディアのチャンネルから同一チャンネルボタンに登録された他のメディアのチャンネルに切り替える多チャンネル入力方式映像装置のチャンネル切り替え方法。
【請求項９】
各種メディアからの信号を受信し再生する多チャンネル入力方式映像装置のチャンネル操作方法において、
現在受信中のメディアのチャンネルと同一チャンネルのチャンネルボタン操作信号がリモコンから入力されたとき、受信するメディアを現在受信中のメディアのチャンネルから同一チャンネルボタンに登録された他のメディアのチャンネルに切り替える多チャンネル入力方式映像装置のチャンネル切り替え方法。
【発明の詳細な説明】
【技術分野】
【０００１】
本発明は、多チャンネル入力方式の映像装置、及び多チャンネル入力方式デジタル放送のチャンネル切り替え方法に係り、特に多種の放送モードを有するテレビジョン受像機などの映像装置で使用するリモートコントローラ（リモコン）で、メディア（ＵＶ放送、地上デジタル放送、衛星デジタル放送など）を切り替える多チャンネル入力方式の映像装置とそのチャンネル切り替え方法に関する。
【背景技術】
【０００２】
テレビジョン受像機などの映像装置として、各種メディアからの信号を受信し再生する多チャンネル入力方式のものが実用化されている。この多チャンネル入力方式の映像装置はＵＶ放送（地上アナログ放送）、地上デジタル放送、衛星デジタル放送など複数種類のメディアからの信号を入力することができる。メディアの数とチャンネルの数を考えると所望のチャンネルの切り替えはかなりのチャンネル選択肢があり、従来、これらの映像装置において、メディアを切り替える際、リモコンを複雑に操作し、視聴したいメディアに対応したチャンネルを選択していた。なお、地上デジタル放送などでは放送を開始していないチャンネルがデフォルトで設定されており、後からユーザがチャンネル設定変更できるようになっている。
【０００３】
このような多チャンネル入力方式の受信装置のチャンネル切り替えを簡単化する例として、例えば実開平１−１４２２３３号に記載されたラジオ受信機がある。この従来技術は、複数の異なる受信バンド（ＡＭ放送とＦＭ放送）をもつ受信装置において、選局スイッチを長押しするとＡＭ放送からＦＭ放送、あるいはＦＭ放送からＡＭ放送の同一チャンネルに切り替えることができる。
【特許文献１】実開平１−１４２２３３号公報
【発明の開示】
【発明が解決しようとする課題】
【０００４】
上記多チャンネル入力方式の映像装置では、リモコンで同じチャンネルボタンに割り振られている放送、例えばチャンネルボタン〔３〕に割り振られたＵＶ放送（地上アナログ放送）から同じチャンネルボタン〔３〕に割り振られた地上デジタル放送、ＢＳデジタル放送などに切り替えようとする場合、リモコンを操作し、メディアをＵＶ（地上アナログ放送）から地上デジタル放送、ＢＳデジタル放送などに切り替えながらチャンネルボタン〔３〕を操作する必要があり、操作が多く不便であった。
【０００５】
例えば図５に示したように、予め設定されたメディア探索順序に従って、順次、ＵＶ放送の３チャンネル、地上デジタル放送の３チャンネル、ＢＳデジタル放送の１０３チャンネルの順序で切り替えて表示するとき、ＵＶ放送のチャンネルボタン〔３〕に地上アナログ放送の３チャンネルが登録され、ＢＳデジタル放送のチャンネルボタン〔３〕に１０３チャンネルが登録されており、地上デジタル放送のチャンネルボタン〔３〕には３チャンネルが登録されているが放送されていない場合を考えると、従来技術では、リモートコントローラ（以下リモコンという）の操作を、メディア切り替えボタン〔ＵＶ〕の操作４０１、チャンネルボタン〔３〕の操作４０２、メディア切り替えボタン〔地上デジタル〕の操作４０３、チャンネルボタン〔３〕の操作４０４、メディア切り替えボタン〔ＢＳデジタル〕の操作４０５、チャンネルボタン〔３〕の操作４０６というように操作する必要があり、更に、ＵＶ放送の３チャンネル画面４０７、ＢＳデジタル放送の１０３チャンネル画面４０９の他に、地上デジタル放送の３チャンネルは放送されていないため、これを知らずに操作すると地上デジタル放送の３チャンネルのミュート画面（ブランク画面）４０８が表示されるという不都合があった。
【０００６】
そこで、チャンネル切り替えを簡単化するため、上記特許文献１に記載された切り替え方法を採用することが考えられるが、地上デジタル放送などでは放送を開始していないチャンネルがデフォルトでチャンネルが設定されており、切り替え先のチャンネルが放送開始していないときにはミュート画面が表示され、非常にわずらわしく、また、操作に多くの時間がかかってしまうという問題があった。
本発明の目的は上記問題に鑑み、操作性の良いチャンネル切り替え方法を提供することにある。
【課題を解決するための手段】
【０００７】
本発明の請求項１に係る発明の要旨は、各種メディアからの信号を受信し再生する多チャンネル入力方式の映像装置において、リモコンの同一チャンネルボタンの操作内容に応じて、受信するメディアを現在受信中のメディアのチャンネルから同一チャンネルボタンに登録された他のメディアのチャンネルに切り替えるチャンネル切り替え手段を備えたことを特徴とする多チャンネル入力方式の映像装置に存する。
また、本発明の請求項２に係る発明の要旨は、各種メディアからの信号を受信し再生する多チャンネル入力方式の映像装置において、リモコンからのチャンネルボタン操作信号を受信して、所定値を超える前記チャンネルボタン操作信号が入力されたとき、受信するメディアを現在受信中のメディアのチャンネルから同一チャンネルボタンに登録された他のメディアのチャンネルに切り替えるチャンネル切り替え手段を備えたことを特徴とする多チャンネル入力方式の映像装置に存する。
また、本発明の請求項３に係る発明の要旨は、各種メディアからの信号を受信し再生する多チャンネル入力方式の映像装置において、現在受信中のメディアのチャンネルと同一チャンネルのチャンネルボタン操作信号がリモコンから入力されたとき、受信するメディアを現在受信中のメディアのチャンネルから同一チャンネルボタンに登録された他のメディアのチャンネルに切り替えるチャンネル切り替え手段を備えたことを特徴とする多チャンネル入力方式の映像装置に存する。
また、本発明の請求項４に係る発明の要旨は、前記チャンネル切り替え手段は、前記チャンネルボタン操作信号を受信したとき、同一チャンネルボタンに登録された他のメディアのチャンネルが放送されているかどうかを予め定めた順序に従って検出する検出手段と、前記検出手段により前記他のメディアのチャンネルが放送されていることが検出されたときは当該メディアのチャンネル表示を行い、前記検出手段により前記他のメディアのチャンネルが放送されていないことが検出されたとき当該メディアのチャンネル表示をスキップするように動作する手段を備えたことを特徴とする請求項１乃至請求項３のいずれか一項に記載の多チャンネル入力方式の映像装置に存する。
また、本発明の請求項５に係る発明の要旨は、ＥＰＧメモリの記憶内容により、該当チャンネルの放送を行っていないことが検出されたとき当該メディアのチャンネル表示をスキップするように動作する手段を備えたことを特徴とする請求項４に記載の多チャンネル入力方式の映像装置に存する。
また、本発明の請求項６に係る発明の要旨は、ＩＰ変換／ＲＧＢプロセッサにより、該当チャンネルがミュート画面表示となっていることが検出されたとき当該メディアのチャンネル表示をスキップするように動作する手段を備えたことを特徴とする請求項４に記載の多チャンネル入力方式の映像装置に存する。
また、本発明の請求項７に係る発明の要旨は、各種メディアからの信号を受信し再生する多チャンネル入力方式映像装置のチャンネル操作方法において、リモコンの同一チャンネルボタンの操作内容に応じて、受信するメディアを現在受信中のメディアのチャンネルから同一チャンネルボタンに登録された他のメディアに切り替える多チャンネル入力方式映像装置のチャンネル切り替え方法に存する。
また、本発明の請求項８に係る発明の要旨は、各種メディアからの信号を受信し再生する多チャンネル入力方式映像装置のチャンネル操作方法において、リモコンからのチャンネルボタン操作信号を受信して、所定値を超える前記チャンネルボタン操作信号が入力されたとき、受信するメディアを現在受信中のメディアのチャンネルから同一チャンネルボタンに登録された他のメディアのチャンネルに切り替える多チャンネル入力方式映像装置のチャンネル切り替え方法に存する。
また、本発明の請求項９に係る発明の要旨は、各種メディアからの信号を受信し再生する多チャンネル入力方式映像装置のチャンネル操作方法において、現在受信中のメディアのチャンネルと同一チャンネルのチャンネルボタン操作信号がリモコンから入力されたとき、受信するメディアを現在受信中のメディアのチャンネルから同一チャンネルボタンに登録された他のメディアのチャンネルに切り替える多チャンネル入力方式映像装置のチャンネル切り替え方法に存する。
【発明の効果】
【０００８】
本発明によれば、多チャンネル入力方式の映像装置において、リモコンのチャンネルボタンの操作のみで、しかも、未登録のものは自動的にスキップして他のメディアのチャンネルに切り替えることができるので、チャンネル切り替えの操作が簡単で、短時間に切り替えができるできる効果がある。
【発明を実施するための最良の形態】
【０００９】
次に、本発明を実施するための最良の形態を、図面を参照して具体的に説明する。
【００１０】
（第１の実施の形態）
図１は本発明の概念を示したものである。チャンネル切り替えをするときの条件として、図４で説明した場合と同様に、順次、ＵＶの３チャンネル、地上デジタル放送の３チャンネル、ＢＳデジタル放送の１０３チャンネルに切り替えて表示しようとするとき、ＵＶのチャンネルボタン〔３〕に地上アナログ放送の３チャンネルが登録され、、ＢＳデジタル放送のチャンネルボタン〔３〕に１０３チャンネルが登録されており、地上デジタル放送のチャンネルボタン〔３〕には３チャンネルが登録されているが放送されていない場合を説明する。
【００１１】
まず、リモコンのチャンネルボタン〔３〕を操作し（チャンネルボタン〔３〕の操作２０１）、ＵＶの３チャンネルの画面２０３を表示しているとき、他のメディアのチャンネルボタン〔３〕に登録されたチャンネルに切り替えたいときは、リモコンチャンネルボタン〔３〕を操作すればよい（チャンネルボタン〔３〕の操作２０２）。すると映像装置は次に地上デジタル放送のチャンネルボタン〔３〕に登録された３チャンネルを探索するが、地上デジタル放送の３チャンネルは放送されていないので自動的に地上デジタル放送の３チャンネルのミュート画面２０５の表示をスキップして、チャンネルボタン〔３〕に登録されている次のメディアを自動的に探索する。そして次のＢＳデジタル放送の１０３チャンネルがチャンネルボタン〔３〕に登録されているので、ＢＳデジタル放送の１０３チャンネル画面２０４が表示される。
【００１２】
このように、本発明はリモコンのチャンネルボタンの１回の操作のみで、ＵＶの３チャンネルからＢＳデジタル放送の１０３チャンネルに切り替えることができる。しかも未登録のものは自動的にスキップすることができる。
【００１３】
次に、図２、図３を参照して、更に詳しく説明する。
図２は本発明の具体的な実施の形態における映像装置の構成図である。
図２において、１は放送電波を受信するアンテナ、２は映像装置であるテレビ受像装置、３はテレビ受像装置２を操作するリモコンである。なお、アンテナ１は、地上アナログ放送、地上デジタル放送、ＢＳデジタル放送、ＣＳデジタル放送で異なるものを複数必要とする場合も、アンテナ１として簡易に図示してある。
【００１４】
更にテレビ受像装置２の構成を説明すると、４から７はチューナーであり所望のチャンネルを選局してその信号を出力する。４は地上アナログ放送用チューナー、５は地上デジタル放送用チューナー、６はＢＳデジタル放送用チューナー、７はＣＳデジタル放送用チューナーである。地上アナログ放送用チューナー４からの出力はアナログ放送用デコーダー８に入力される。アナログ放送用デコーダー８は３次元ＹＣ分離回路、ＶＩＤＥＯクロマデーコーダーなどで構成されている。アナログ放送用デコーダー８から出力されたアナログ映像信号ａ１はＡＤコンバーター９に入力されアナログ信号がデジタル信号に変換される。デジタル信号に変換されたデジタル映像信号ａ２は切り替えスイッチ（ＳＷ２）１０に入力される。切り替えスイッチ（ＳＷ２）１０は後述するように、デジタル映像信号ａ２とデジタル映像信号ａ６のいずれかを選択して出力するために設けられている。
【００１５】
一方、地上デジタル放送用チューナー５、ＢＳデジタル放送用チューナー６、ＣＳデジタル放送用チューナー７から出力された信号は切り替えスイッチ（ＳＷ１）１３に入力される。替えスイッチ（ＳＷ１）１３は後述するように、地上デジタル放送用チューナー５の出力信号、ＢＳデジタル放送用チューナー６の出力信号、ＣＳデジタル放送用チューナー７の出力信号のいずれかを選択するために設けられている。
【００１６】
切り替えスイッチ（ＳＷ１）１３から出力されたデジタル映像信号ａ５はデジタル放送デコーダー１４に入力される。デジタル放送デコーダー１４はＥＰＧ（電子番組ガイド）メモリ、ＥＰＧデコーダーなどで構成されている。デジタル放送デコーダー１４からのデジタル映像信号ａ６は切り替えスイッチ（ＳＷ２）１０に入力される。デジタル放送デコーダー１４はＥＰＧ（電子番組ガイド）メモリに記憶された情報から、放送されていないメディアのチャンネルを検出する機能を有する。
【００１７】
切り替えスイッチ（ＳＷ２）１０によりデジタル映像信号ａ２とデジタル映像信号ａ６の一方が選択されて出力されたデジタル映像信号ａ３は、ＩＰ変換／ＲＧＢプロセッサ１１に入力される。ＩＰ変換／ＲＧＢプロセッサ１１はインターレスとプログレッシブの変換やＲ、Ｇ、Ｂ信号を生成するプロセッサである。ＩＰ変換／ＲＧＢプロセッサ１１は入力されたデジタル映像信号ａ３から、対応するメディアの放送がされていないときのミュート画面の情報を検出する機能を有する。ＩＰ変換／ＲＧＢプロセッサ１１から出力されたデジタル映像信号ａ４は液晶表示装置などの表示装置１２に入力され画像表示される。
【００１８】
１５はリモコン受光部であり、テレビ受像装置２はリモコン受光部１５からリモコン３の操作信号を受信し、後述するようにチャンネル切り替えなどを実行する。１６はテレビ受像装置２全体を制御するマイクロコンピュータ（以下マイコンという）である。
【００１９】
次に、図３を参照して本発明の第１の実施の形態の動作を説明する。
まず、テレビ受像装置２の使用者がリモコン受光部１５に向けてリモコン３のチャンネルボタンを操作すると、この操作信号はリモコン３から赤外線信号としてリモコン受光部１５に向けて送信される。リモコン受光部１５がこの信号を受信すると、この信号はリモコン受光部１５で電圧に変換されて電気信号としてマイコン１６に伝達される。マイコン１６はステップＳ１でリモコン受光部１５からこの信号を受け取り、リモコン３のチャンネルボタンが押されたことを検出する。
【００２０】
マイコン１６は受け取ったコード信号をデコードし、リモコン３から受けた制御内容に応じて処理を実行する。ステップＳ２ではリモコン３でチャンネルボタンが押されたので、そのチャンネルの対応するチャンネルを現在視聴中のメディアの中から選局する。
【００２１】
次のステップＳ３では、選局したチャンネルの映像表示処理を実行する。同一メディアの中でのチャンネル選局は、マイコン１６が、地上アナログ放送用チューナー４、地上デジタル放送用チューナー５、ＢＳデジタル放送用チューナー６、ＣＳデジタル放送用チューナー７の各チューナーにチャネル切り替え信号を送り、切り替え信号を送られたチューナーが所望チャンネルの周波数帯域の信号を受信するよう選局することにより行われる。
【００２２】
次にステップＳ４に進み、リモコン３のチャンネルボタンが押されている時間を計測する。本発明の実施の形態では、リモコン３のチャンネルボタンが所定時間以上押されたことが検出されたらメディアを切り替えるように動作する。図３の例では所定時間が１秒に設定されており、ステップＳ４でリモコン３のチャンネルボタンが１秒以上押されたと判断された場合にはステップＳ５に進む。１秒未満のときはステップＳ９に進みステップＳ２で選局し、ステップＳ３で映像表示処理を行った最終選局チャンネルの表示を維持する。
【００２３】
メディアの切り替えは、マイコン１６の指令信号を図２に示した切り替えスイッチ（ＳＷ１）１３、切り替えスイッチ（ＳＷ２）１０に送り、切り替えスイッチ（ＳＷ１）１３と切り替えスイッチ（ＳＷ２）１０を切り替えることにより行われる。切り替えスイッチ（ＳＷ１）１３は地上デジタル放送用チューナー５、ＢＳデジタル放送用チューナー６、ＣＳデジタル放送用チューナー７のデジタル信号を切り替える選択スイッチである。また、切り替えスイッチ（ＳＷ２）１０は地上アナログ放送用チューナー４をデジタル変換したデジタル映像信号ａ２とデジタル放送デコーダー１４からのデジタル映像信号ａ６を切り替える選択スイッチである。例えばメディアを地上アナログ放送に切り替える場合には、切り替えスイッチ（ＳＷ２）１０によりデジタル映像信号ａ２を選択すればよい。また、例えばメディアをＢＳデジタル放送に切り替える場合には、切り替えスイッチ（ＳＷ１）１３をＢＳデジタル放送用チューナー６からの信号を選択するように切り替え、切り替えスイッチ（ＳＷ２）１０によりデジタル映像信号ａ６を選択すればよい。
【００２４】
ステップＳ４からステップＳ５に進んだ場合には、ステップＳ５において、次に切り替えるべきメディアの該当するチャンネルが放送されているチャンネルかどうかが判断される。次に切り替えるべきメディア切り替え順序は予め設定して記憶しておけばよい。
【００２５】
もし放送されていないチャンネルであった場合にはステップＳ１０に進み、そのメディアをスキップし、ステップＳ４に進んでステップＳ４以下の処理を続ける。この場合ステップＳ４で再度リモコンチャンネルボタンの押し時間が１秒以上であったかどうかチェックされるが、ステップＳ１０を経由してきた場合には１秒以上リモコン３のチャンネルボタンが押されているので、ステップＳ５に進み、先にスキップしたメディアの次のメディアの該当チャンネルの放送状態がチェックされる。
【００２６】
ステップＳ５で放送されていないチャンネルが連続して検出されたときは、ステップＳ１０、ステップＳ４、ステップＳ５を、放送されているチャンネルが検出されるまで繰り返す。この場合、放送されていないメディアのチャンネルは次々とスキップされる。現在視聴している番組の他に、他のメディアでの同一チャンネルでの放送がされていない場合には、結局元に戻って現在視聴していた番組の表示が維持されることになる。
【００２７】
放送されていないメディアのチャンネル検出は、具体的にはＩＰ変換／ＲＧＢプロセッサ１１によりミュート画面が検出された場合に、この検出情報をマイコン１６に送信することにより行うことができる。あるいはデジタル放送デコーダー１４のＥＰＧメモリの記憶情報とリモコンチャンネルボタンとの対応関係の記憶情報により、チャンネルが未登録、あるいは放送が開始されていない情報が検出された場合に、この検出情報をマイコン１６に送信することにより行うことができる。
【００２８】
ステップＳ５で放送されているチャンネルであると判断された場合には次のメディアのチャンネルに切り替えるためにステップＳ６に進む。ステップＳ６では次のメディアのチャンネルが選局される。次にステップＳ７に進み、選局されたチャンネルの映像表示処理を行う。
【００２９】
更に、ステップＳ８に進んで、チャネルボタンが押されているかどうかチェックする。チャネルボタンが押されていなければ最終的に選局したチャンネルの表示を維持する。もしステップＳ８でチャンネルボタンが押されている場合にはステップＳ４に進んでステップＳ４以下の処理を続ける。
【００３０】
以上の動作説明で明らかなように、本第１の実施の形態によれば、リモコンのチャンネルボタンを所定時間以上長押し操作するのみで、多チャンネル入力方式の映像装置のチャンネル切り替えの操作が、簡単で、短時間に行うことができる。
【００３１】
（第２の実施の形態）
上記第１の実施の形態では、ステップＳ４でリモコン３のチャンネルボタンの押し時間が所定時間の１秒以上かどうかをチェックしたが、これに代えて、現在視聴中のチャンネルと同じチャンネルボタンが押されたことを検出しても本発明を実施することができる。
【００３２】
図４は本発明の第２の実施の形態の制御動作を説明するためのフローチャートである。
【００３３】
まず、テレビ受像装置２の使用者がリモコン受光部１５に向けてリモコン３のチャンネルボタンを操作すると、この操作信号はリモコン３から赤外線信号としてリモコン受光部１５に向けて送信される。リモコン受光部１５がこの信号を受信すると、この信号はリモコン受光部１５で電圧に変換されて電気信号としてマイコン１６に伝達される。マイコン１６はステップＳ１1でリモコン受光部１５からこの信号を受け取り、リモコン３のチャンネルボタンが押されたことを検出する。
【００３４】
マイコン１６は受け取ったコード信号をデコードし、リモコン３から受けた制御内容に応じて処理を実行する。ステップＳ１２では押されたリモコン３のチャンネルボタンが前回と同じチャンネルボタンであるか否かをチェックする。前回と異なるチャンネルボタンが押されたと判断されたときは、ステップＳ１９で、そのチャンネルの対応するチャンネルを現在視聴中のメディアの中から選局する。次のステップＳ２０では、選局したチャンネルの映像表示処理を実行し、ステップＳ１７に進み最終選局チャンネルの表示を維持する。同一メディアの中でのチャンネル選局は、第１の実施の形態と同様に、マイコン１６が、地上アナログ放送用チューナー４、地上デジタル放送用チューナー５、ＢＳデジタル放送用チューナー６、ＣＳデジタル放送用チューナー７の各チューナーにチャネル切り替え信号を送ることにより行われる。
【００３５】
次に、ステップＳ１２で前回と同じチャンネルボタンが押されたと判断されたときはステップＳ１３に進み、次に切り替えるべきチャンネルのメディアが放送されているかどうかが判断される。もし放送されていないチャンネルであった場合にはステップＳ１８に進み、そのメディアをスキップし、ステップＳ１３に進んで次のメディアをチェックする処理を続ける。
【００３６】
ステップＳ１３で放送されているチャンネルであると判断された場合には次のメディアのチャンネルに切り替えるためにステップＳ１４に進む。ステップＳ１４では次のメディアのチャンネルが選局される。次にステップＳ１５に進み、選局されたチャンネルの映像表示処理を行う。
【００３７】
更に、ステップＳ１６に進んで、チャネルボタンが押されているかどうかチェックする。チャネルボタンが押されていなければ最終的に選局したチャンネルの表示を維持する。
もしステップＳ１６でチャンネルボタンが押されている場合にはステップＳ１２に進んでステップＳ１２以下の処理を続ける。
【００３８】
本第２の実施の形態でも、第１の実施の形態と同様に、メディアの切り替えは、マイコン１６の指令信号を図２に示した切り替えスイッチ（ＳＷ１）１３、切り替えスイッチ（ＳＷ２）１０に送り、切り替えスイッチ（ＳＷ１）１３と切り替えスイッチ（ＳＷ２）１０を切り替えることにより行われる。
【００３９】
また、本第２の実施の形態でも、第１の実施の形態と同様に、放送されていないメディアのチャンネル検出は、具体的にはＩＰ変換／ＲＧＢプロセッサ１１によりミュート画面が検出された場合に、この検出情報をマイコン１６に送信することにより行うことができる。あるいはデジタル放送デコーダー１４のＥＰＧメモリの記憶情報とリモコンチャンネルボタンとの対応関係の記憶情報により、チャンネルが未登録、あるいは放送が開始されていない情報が検出された場合に、この検出情報をマイコン１６に送信することにより行うことができる。
【００４０】
上記実施の形態では、アナログ信号による放送メディアが１つで、デジタル信号による放送メディアが複数の場合について説明したが、アナログ信号による放送メディアが複数あっても適用できる。この場合、地上アナログチューナー４とアナログ放送デコーダー８の間に切り替えスイッチ（ＳＷ１）１３に相当するものが挿入される。
また、チャンネル切り替え時のメディア探索順序は任意に設定できるようにしても良い。
【００４１】
以上の動作説明で明らかなように、本第２の実施の形態によれば、前回と同じチャンネルボタンを操作するのみで、多チャンネル入力方式の映像装置のチャンネル切り替えの操作が、簡単で、短時間に行うことができる。
【００４２】
以上、本発明の実施の形態を具体的に説明したが、本発明は上記実施の形態に限定されず、本発明の要旨を変更しない範囲で変更して実施することができる。
【産業上の利用可能性】
【００４３】
本発明は、多チャンネル入力方式の映像装置のチャンネル切り替え操作に広く利用できる。
【図面の簡単な説明】
【００４４】
【図１】本発明のチャンネル切り替えを説明する図である。
【図２】本発明の第１、２の実施の形態における制御ブロック図である。
【図３】本発明の第１の実施の形態を説明するフローチャートである。
【図４】本発明の第２の実施の形態を説明するフローチャートである。
【図５】従来技術のチャンネル切り替えを説明する図である。
【符号の説明】
【００４５】
１・・・アンテナ
２・・・テレビ受像装置（映像装置）
３・・・リモコン（リモートコントローラ）
４・・・地上アナログ放送用チューナー
５・・・地上デジタル放送用チューナー
６・・・ＢＳデジタル放送用チューナー
７・・・ＣＳデジタル放送用チューナー
８・・・アナログ放送用デコーダー
９・・・ＡＤコンバーター
１０・・・切り替えスイッチ（ＳＷ２）
１１・・・ＩＰ変換／ＲＧＢプロセッサ
１２・・・表示装置
１３・・・切り替えスイッチ（ＳＷ１）
１４・・・デジタル放送デコーダー
１５・・・リモコン受光部
１６・・・マイコン（マイクロコンピュータ）
２０１、２０２・・・チャンネルボタン〔３〕の操作
２０３・・・ＵＶの３チャンネルの画面
２０４・・・ＢＳデジタル放送の１０３チャンネル画面
２０５・・・地上デジタル放送の３チャンネルのミュート画面（スキップされたミュート画面）
４０１・・・メディア切り替えボタン〔ＵＶ〕の操作
４０２、４０４、４０６・・・チャンネルボタン〔３〕の操作
４０３・・・メディア切り替えボタン〔地上デジタル〕の操作
４０５・・・メディア切り替えボタン〔ＢＳデジタル〕の操作
４０７・・・ＵＶ放送の３チャンネル画面
４０８・・・地上デジタル放送の３チャンネルのミュート画面
４０９・・・ＢＳデジタル放送の１０３チャンネル画面
【図１】
2006197128.tif 000003
【図２】
2006197128.tif 000004
【図３】
2006197128.tif 000005
【図４】
2006197128.tif 000006
【図５】
2006197128.tif 000007